(57)【要約】【課題】本発明は、軟水化装置の陽イオン交換樹脂を再生するために必要な塩を成形体としてコンパクト化が図れるとともに、塩の成形体と水との接触面積を確保して、所定量、所定濃度の塩水を短時間で得ることが可能な軟水化装置を提供することを目的とする。【解決手段】本発明は、塩の成形体と、この成形体を収納するバスケットとを有し、前記バスケットが網を備えた開口をその底部に有し、前記開口から浸入する水が前記成形体にその底部から接触する軟水化装置であって、前記塩の成形体が前記バスケット内に横置きに収納され、前記バスケットの底部には上方に突出したガイド部が設けられ、前記塩の成形体には前記ガイド部に対応する上下方向のガイドホールが設けられる軟水化装置である。【選択図】図１
2009148664.tif 000002
【特許請求の範囲】
【請求項１】
塩の成形体と、この成形体を貯蔵するバスケットとを有し、
前記バスケットがその底部に網を備えた開口を有し、
前記開口から浸入する水が、前記塩の成形体の底部から接触する軟水化装置であって、
前記塩の成形体が前記バスケット内に横置きに収納され、
前記バスケットの底部には上方に突出したガイド部が設けられ、
前記塩の成形体には前記ガイド部に対応する上下方向のガイドホールが設けられる軟水化装置。
【請求項２】
請求項１において、
塩の成形体が略直方体であって、底部に凸部と凹部が設けられ、
ガイドホールが前記凹部に設けられる軟水化装置。
【請求項３】
請求項１又は２において、
塩の成形体を平面視したときの上面投影が、下面投影と同等またはそれより小さい軟水化装置。
【請求項４】
請求項１〜３の何れかにおいて、
塩の成形体の側面が、垂直またはテーパ状である軟水化装置。
【請求項５】
請求項１〜４の何れかにおいて、
バスケットを収納する塩タンクの底部に、前記バスケットの底部よりも高くなるように立設したパイプ状の出口部材を設け、
この出口部材から離隔して前記出口部材の上部と周囲を覆う筒状の蓋部を前記バスケットの底部に立設し、
前記蓋部が、ガイド部材を兼ねる軟水化装置。
【発明の詳細な説明】
【技術分野】
【０００１】
本発明は、硬水を軟水化するための軟水化装置に備えた陽イオン交換樹脂を再生するために用いる塩の成形体を利用した軟水化装置に関する。
【背景技術】
【０００２】
従来、給湯機、食器洗浄機、洗濯機や浴槽に使用する水道水、井戸水を軟水化する軟水化装置が開発されており、この軟水化装置に内蔵された陽イオン交換樹脂を再生する場合には、陽イオン交換樹脂に対して多量の塩水が供給されている。また、特公平５−４１４１号公報（特許文献１）に開示された硬水軟水化装置の陽イオン交換樹脂再生方法では、棒状に一体成形した固形塩を通水性が有る網容器に収容した容器入り固形塩が用いられている。
【特許文献１】特公平５−４１４１号公報
【発明の開示】
【発明が解決しようとする課題】
【０００３】
軟水化装置は、硬水を軟水化するための陽イオン交換樹脂を内蔵した軟水化タンクと、再生用の塩を内蔵した塩タンク部を備えた構成であって、陽イオン交換樹脂の再生を行う場合には、多量の塩水を必要とするので、塩タンク部は大きなものとなり、全体的構成のコンパクト化を図る上で問題があった。
【０００４】
また、特許文献１に開示された硬水軟化装置の容器入り固形塩は、プレスにより塩を棒状に固形化したものであり、固形塩を用いない従来のものに比べるとコンパクト化が可能である。しかしながら、プレスで成形した固形塩はもともと水に溶け難い。そのうえ、塩橋の発生によって棒状の塩が自由に降下するのが妨げられないように、棒状の固形塩の下部のみが常に水に接するようにするため、固形塩と水との接触面積が小さくなり、規定の濃度の塩水を得るのに時間を要する問題があった。棒状の固形塩の本数を増やすことで、所要時間を短縮することも考えられるが、その場合には、コンパクト化は図れない問題があった。
【０００５】
本発明は、上記問題点に鑑みなされたものであり、軟水化装置の陽イオン交換樹脂の再生に、成形した塩を使用することでコンパクト化を図りつつ、所定量、所定濃度の塩水を短時間で得ることが可能な軟水化装置を提供することを目的とする。
【課題を解決するための手段】
【０００６】
本発明は次のものに関する。
（１）  塩の成形体と、この成形体を貯蔵するバスケットとを有し、前記バスケットがその底部に網を備えた開口を有し、前記開口から浸入する水が、前記塩の成形体の底部から接触する軟水化装置であって、前記塩の成形体が前記バスケット内に横置きに収納され、前記バスケットの底部には上方に突出したガイド部が設けられ、前記塩の成形体には前記ガイド部に対応する上下方向のガイドホールが設けられる軟水化装置。
（２）  （１）において、塩の成形体が略直方体であって、底部に凸部と凹部が設けられ、ガイドホールが前記凹部に設けられる軟水化装置。
（３）  （１）又は（２）において、塩の成形体を平面視したときの上面投影が、下面投影と同等またはそれより小さい軟水化装置。
（４）  （１）〜（３）の何れかにおいて、塩の成形体の側面が、垂直またはテーパ状である軟水化装置。
（５）  （１）〜（４）の何れかにおいて、バスケットを収納する塩タンクの底部に、前記バスケットの底部よりも高くなるように立設したパイプ状の出口部材を設け、この出口部材から離隔して前記出口部材の上部と周囲を覆う筒状の蓋部を前記バスケットの底部に立設し、前記蓋部が、ガイド部材を兼ねる軟水化装置。
【発明の効果】
【０００７】
本発明によれば、軟水化装置の陽イオン交換樹脂の再生に、成形した塩を使用することでコンパクト化を図りつつ、所定量、所定濃度の塩水を短時間で得ることが可能な軟水化装置を提供することができる。
【発明を実施するための最良の形態】
【０００８】
本発明における軟水化装置は、水を軟水化可能であれば特に限定されるものではないが、その内部に陽イオン交換樹脂を有することが好ましい。また、上記陽イオン交換樹脂の形状は、通水される水との接触面積を大きくするために、繊維状、多孔質形状または粒状等であることが好ましく、中でも直径１ｍｍ以上の粒状のものが好ましい。
【０００９】
陽イオン交換樹脂の量は、必要な軟水量と原水硬度に応じて決定される。例えばシャワーで約５０Ｌの軟水が必要な場合は、原水硬度を約１５０ｍｇ／Ｌとすると陽イオン交換樹脂は約２００ｍＬ必要であるが、その軟水化装置が目標とする必要軟水量と、目標とする原水硬度に応じて、各々決定される必要がある。ただし、陽イオン交換樹脂を通過した水の硬度は３０ｍｇ／Ｌ以下となるようにすることが好ましい。硬度が３０ｍｇ／Ｌ以下であると、石けんの泡立ちが良く、洗浄力が上がり、湯垢も付きにくくなる。ここで述べる水の硬度は、水中のカルシウム塩及びマグネシウム塩の含有量で示される。
【００１０】
このように構成した軟水化装置を用いた陽イオン交換樹脂の再生方法としては、陽イオン交換樹脂に塩水（食塩水溶液または塩化ナトリウム水溶液）を供給することが必要である。例えばシャワーを約５０Ｌ使用した後、陽イオン交換樹脂約２００ｍＬを再生するためには、塩約３５ｇを含んだ塩水を供給する必要がある。塩水の生成方法は、特に限定されないが、所定量で所定濃度の塩水を供給するために、まず、塩を約３５ｇ含む飽和濃度塩水を生成するための水量を供給し、飽和濃度になった段階で、所定の水量を供給することで比較的短時間に塩水を生成することができる。
【００１１】
また、塩水の供給方法としては、ポンプなどの流体機械による搬送や、上部のタンクからの自然流下があるが、塩水通路での機械内部部品等の使用を考えると自然流下が好ましい。さらに、タンクと軟水化タンクとの間の通路の開閉をする弁にも金属部品を使用することがあるが、塩水通路には金属部品の使用を回避しなければならないため、自然流下の際には、サイホン等の自然現象を用いることが好ましい。
【００１２】
図１に示すように、本発明に用いる軟水化タンク３は、陽イオン交換樹脂２を内蔵し、水を通水するための、水入口２０と水出口２１を備える。塩タンク６は、塩水を自然流下する場合は、軟水化タンク３の上側に設けられていた方が、自然流下させ易い。
【００１３】
図２に示すように、本発明に用いる塩タンク６は、塩の成形体１８を貯蔵するバスケット１５を収納できる大きさ・形状であれば特に限定されない。バスケット１５は、塩の成形体１８が貯蔵できて、水２６が浸入する網１６を備えた開口２２を底部１６に有し、その開口２２から浸入する水２６が塩の成形体１８にその底部２５から接触する構造とする。なお、塩の成形体１８の底部２５とは、バスケット１５の底部１６の開口２２（網）に臨む部分とその近傍をいう。また、その水２６が浸入する網１６の目（開口）の大きさは、塩の粒径よりも小さいことは言うまでもない。
【００１４】
図１に示すように、塩の成形体１８は、バスケット１５内に横置きに収納される。これにより、図２に示すように、塩の成形体１８の底部２５のみが常に水２６に接するようにする場合でも、塩の成形体１８と水２６との接触面積を大きくすることができ、規定の濃度の塩水を短時間で得ることができる。ここで横置きとは、多角柱や円柱状に立っているものが寝た状態となるように置くことを言う。例えば直方体の場合、最も長尺の方向が横方向（水平方向）になった状態を言い、このとき、直方体の最大の面積を有する側面が底面となる場合には限られず、最大の面積を有する側面ではない側面が底面となる場合も含む。
【００１５】
図２に示すように、バスケット１５の底部１６には上方に突出したガイド部１７が設けられる。ガイド部１７の下端は、後に述べるサイホンによる軟水化タンク３への塩水２６供給の際に、できるだけ全量に近い塩水２６を供給するため、塩タンク６の底部２７からは少し浮くように設定される。また、塩の成形体１８の底部２５には、このガイド部１７に対応する上下方向のガイドホール１９が設けられる。塩の成形体１８を横置きする場合は、水との接触面積が大きくとれる反面、塩の成形体１８の溶解に偏りが生じ、塩の成形体１８の自重による降下が円滑に行われないことも考えられる。しかしながら、このように、ガイド部１７とこれに対応するガイドホール１９を設けることで、溶解が進んでも、塩の成形体１８をバスケット１５に収納する際の位置を固定でき、また、徐々に塩の成形体１８の自重で落下しながら溶解する際のガイドとなり、塩橋の発生を抑制できる。このため、塩の成形体１８を横置きして水２６との接触面積を大きくしても、塩橋の発生によって自由に降下するのが妨げられないため、塩の成形体１８と水２６との接触面積が小さくなることを抑制することができ、規定の濃度の塩水を短時間で得ることができる。
【００１６】
図２に示すように、塩の成形体１８の底部２５に凹部２４と凸部２３とを設け、ガイドホール１９が凹部２４から上方に向かって設けられるのが望ましい。このように凹凸を設けることで、塩の成形体１８と水２６との接触面積をより大きくすることができ、規定の濃度の塩水を短時間で得ることができる。また、凹部２４にガイドホール１９が設けられることで、塩の成形体１８をバスケット１５内に収納する際に、まず凹部２４とガイド部１７との位置合せを大まかに行い、その後、ガイドホール１９とガイド部１７との位置合せを行うことで、塩の成形体を収納する際の位置合せが容易となる。
【００１７】
ガイド部１７の高さは、塩の成形体１８と水２６とが接触するバスケット１５の底部１６の最上端よりも高くなるようにする。これにより、ガイド部１７のバスケット１５の底部１６の最上端よりも高い部分は、水２６との接触が抑制されるので、ガイドホール１９の内壁が溶解してガイドホールの内径が拡大することがない。このため、ガイド部１７とガイドホール１９の内壁との接触が確保されるため、塩の成形体１８の溶解が進んでも、塩の成形体１８をバスケット１５に貯蔵する際の位置を固定でき、また、徐々に塩の成形体１８の自重で落下しながら溶解する際のガイドとなり、塩橋の発生を抑制できる。
【００１８】
図２に示すように、塩タンク６内の塩水２６を軟水化タンク３に全量供給するためには、サイホンを形成する必要があるが、そのために、バスケット１５を収納する塩タンク６の底部２７に、バスケット１５の底部１６よりも高くなるように立設したパイプ状の出口部材１３を設け、この出口部材１３から適宜離隔して出口部材１３の上部と周囲を覆う筒状の蓋部１７をバスケット１５の底部１６に立設することによって、塩タンク６内の水位が出口部材１３を超えたときに、出口部材１３の外側と蓋部１７の間にサイホンが発生し、塩タンク６内の塩水２６を全量流出する。
【００１９】
図２に示すように、このバスケット１５の底部１６から立設された出口部材１３の上部と周囲を覆う筒状の蓋部１７に干渉しないように塩の成形体１８の上下方向に非貫通のガイドホール１９を設けることで、塩の成形体１８をバスケット１５に収納する際の位置を固定できる。また、この塩の成形体１８の上下方向に設けたガイドホール１９を貫通穴とすると、徐々に塩の成形体１８の自重で落下しながら溶解する際のガイドとなり、塩橋の発生を防止できる。このように、筒状の蓋部１７がガイド部を兼ねるようにすると、わざわざガイド部１７を設ける必要がなく、コストの低減やコンパクト化を図ることができる。
【００２０】
塩の成形体１８とバスケット１５の内側のサイズ、形状が、概ね一致していると塩の成形体１８が徐々に自重で落下しながら溶解していく際にバスケット１５の内側の側面や構造体に引掛かり、水との接触面積が小さくなる。図３に示すように、塩の成形体１８はそれを平面視したときの上面投影が下面投影と同等またはそれより小さい垂直またはテーパ状とすることにより、バスケット１５の内側の側面や構造体に引掛かりの影響を小さくし、所定量、所定濃度の塩水を安定して得ることができる。
【００２１】
以下に、粒状の陽イオン交換樹脂２を用いた場合を例として、本軟水化装置１が陽イオン交換樹脂２を再生する際の作用及び動作について説明する。
【００２２】
陽イオン交換樹脂２は、その交換基にナトリウムイオンを配し、このナトリウムイオンと水道水中のカルシウムイオン、マグネシウムイオン等の硬度成分とがイオン交換され、ナトリウムイオンは水道水中に離脱されて軟水となる。しかし、陽イオン交換樹脂２の交換能力には限界があるため再生が必要とされ、この再生には塩水２６が用いられる。塩水２６を陽イオン交換樹脂２へ通水すると、ここではカルシウムイオン、マグネシウムイオン等がナトリウムイオンと置換し、ナトリウムイオンは陽イオン交換樹脂２に復元し、カルシウムイオン、マグネシウムイオン等は再生排水中に離脱する。
【００２３】
塩は所定量の水に所定時間浸漬すると所定濃度の塩水になり、この塩水を陽イオン交換樹脂へ供給することで再生を確実に行うことができる。その供給方法としては、まず、高濃度の塩水を所定量製造（溶かし込み工程）した後、希釈しながら供給することができる（流し込み工程）。
【００２４】
溶かし込み工程と流し込み工程で得られた塩水は、１回の再生で、その全量を供給する方式が、塩タンクを最もコンパクトにすることができるので望ましい。塩水を軟水化タンクへ自然流下させる軟水化装置においては、例えば、図２に示すように、塩タンク６内でサイホンを形成させることで、塩水２６のほぼ全量を供給する。これを実現するために、塩タンク６の底部２７にパイプ状の出口部材１３を設け、その出口部材１３から適宜離隔して出口部材１３の上部と周囲を覆う筒状の蓋部１７を立設している。塩タンク６に水２６を供給すると、出口部材１３の外周側と蓋部１７との間の空間も塩タンク６と共に水２６で満たされ、水位が出口部材１３の上端を超えると、出口部材１３から水２６が流出するが、出口部材１３の外周側と蓋部１７との間にサイホンが発生し、供給された水２６を軟水化タンク３へ全量流すことができる。
【００２５】
塩の成形体１８は、財団法人塩事業センターから発売される粉状の並塩をプレス等によって成形する方法、所望の形状を反転した型に粉状の塩を入れておき、この塩に水を噴霧し、その後、放置や乾燥機によって乾燥させる方法、等により作製することができる。後者の方法の場合、前者の方法に比べて、比較的塩の成形体１８を構成する塩の粒子の隙間が大きく、塩の成形体が硬くならないので、水が浸透し易く、より短時間で規定の濃度の塩水を短時間で得ることができるので望ましい。
【実施例】
【００２６】
以下、本発明の軟水化装置の実施例を図面に基づき説明する。
【００２７】
図１は、本実施例の軟水化装置１の水通路の構成を示す。図２は、塩タンク６とバスケット１５の構成を示す横断面図である。軟水化装置１は、陽イオン交換樹脂２を収納した軟水化タンク３と、軟水化タンク３へ水２６を供給するための供給管４と、軟水化タンク３から軟水２８を吐水させるための軟水管５と、軟水化タンク３上部の塩タンク６と、塩タンク６へ水２６を供給する再生管７と、陽イオン交換樹脂２を再生させた塩水２６を排出する排出管８と、再生管７を開閉する再生弁９とで構成されている。さらに、塩タンク６と軟水化タンク３を結ぶ塩水管１０は、軟水化タンク３から塩タンク６への逆流を防止する逆止弁１１が設けられている。また排出管８には、軟水化タンク３が通水状態で閉じて、非通水状態では開く排水弁１２が設けられている。また、本実施例の再生弁９は、電磁弁であり、特に図示はしないが、制御手段と操作スイッチによって開閉される。
【００２８】
塩タンク６は、底部２７の中央部に底部２７から上方及び下方に立設したパイプ状の出口部材１３を備えている。上方への出口部材１３は、後述するバスケット１５の底部１６の上端より高くなるように立設されている。また下方への出口部材１３は、塩水管１０に接続されている。さらに、塩タンク６の上部には、塩タンク６へ供給される水の流入口１４が設けられ再生管７に接続されている。
【００２９】
バスケット１５は、箱型形状であり、底部１６は長手方向全体にわたって２つの凸部２３を有している。また凸部２３の底面全体と長手側の側面の底面側は、格子状に形成され、格子間は開口２２となっており、この開口２２には網１６が一体成形されている。凸部２３と凸部２３の間は凹部２４が形成され、この凹部２４の中央部には、ドーム状の蓋部１７がバスケット１５の内側へ形成されるとともに、蓋部１７は、凹部２４の裏側（下側）から、塩タンクの底部２７付近まで立設されている。このバスケット１５を塩タンク６へ設置すると、出口部材１３の上部と周囲が蓋部１７によって覆われる。
【００３０】
次に、このような構成の塩タンク６とバスケット１５を組み合わせた本実施例の軟水化装置１によって、陽イオン交換樹脂２を再生する方法について説明する。
【００３１】
本実施例の軟水化装置１は、１回の再生で約５０Ｌの軟水を得るために陽イオン交換樹脂２の量は約２００ｍＬ、１回の再生で消費する塩の量は３５ｇとし、約５０Ｌの軟水使用の都度に毎回再生する方式である。このような方式以外に、再生するタイミングを予め設定する方式があるが、この方式では、軟水の使用に係わらず、再生されてしまうため、塩が無駄に消費されてしまうデメリットが発生するが、使用の都度に毎回再生する方式では、軟水使用のたびに再生するため、塩の無駄な消費を抑えることができるというメリットがある。
【００３２】
再生は、流し込み工程と溶かし込み工程の順で行われる。このとき、操作スイッチを操作してから、流し込み工程終了までは、再生表示手段によって、使用者に再生中であることを報知する。
【００３３】
使用者が操作手段を操作する、再生弁９が開き、再生管７を通じて、水２６が流入口１４から塩タンク６へ流入する。このとき、前回の再生で行われた溶かし込み工程で生成された飽和濃度の塩水２６が、出口部材１３以下の水位で塩タンク６に貯蔵されている。この状態から、流し込み工程が行われることになるが、塩タンク６に水２６が流入すると、飽和濃度の塩水２６が希釈され、出口部材１３の水位を超えると、塩水管１０を通じて、軟水化タンク３へ塩水２６が流入する。尚、流入水量は、本実施例では約３５０ｍＬである。このとき、サイホンによって、予め貯蔵されていた飽和濃度の塩水２６と希釈に用いた水２６の全量が供給される。軟水化タンク３へ流入した塩水２６は、陽イオン交換樹脂２を通過し、陽イオン交換樹脂２を再生した後、排水弁１２を通じて排出管８から排出される。また、塩タンク６内の水位の上昇によって、バスケット１５内の塩の成形体１８は水２６に接触し自重で落下しながら溶解する。
【００３４】
この動作が終了した後、溶かし込み工程が開始される。まず、再生弁９が開き、再生管７を通じて、水が出口部材１３以下の水位まで流入する。このとき、バスケット１５内の塩の成形体１８は、網１６の周囲で水２６に浸漬されるため、約数分の後は飽和濃度の塩水２６が生成され、平衡に達した後は、次の再生まで塩の成形体１８の湿潤状態が維持される。尚、流入水量は、本実施例では約１００ｍＬ（塩約３５ｇを飽和濃度約２６％にするために必要な最低水量）である。また、出口部材１３までの水量は、塩の成形体１８がバスケット１５に収納されている状態で、約２００ｍＬである。
【００３５】
図２、図３を用いて本実施例のバスケット１５に収納される塩の成形体１８の形状について説明する。図２に示すように、バスケット１５は、箱型形状であり、底部１６は長手方向全体にわたって２つの凸部２３とその間に凹部２４を有している。このため、図３に示すように、塩の成形体１８も底部２５を長手方向全体に渡って２つの凸部２９とその間に凹部３０を有する形状にしたものが（ａ）〜（ｄ）である。またバスケット１５の底部１６の形状に合せることなく、塩の成形体１８の底面を長手方向全体に渡ってフラットにしたものが（ｅ）〜（ｈ）である。
【００３６】
また、バスケット１５の内側へ形成されたドーム状の蓋部１７に干渉しないように塩の成形体１８の上下方向に非貫通のガイドホール１９を設けたものが（ａ）、（ｃ）、（ｅ）、（ｇ）である。このような非貫通のガイドホール１９を設けることで塩の成形体をバスケットに収納する際の位置を固定できる。
【００３７】
さらに、バスケット１５の内側へ形成されたドーム状の蓋部１７に干渉しないように塩の成形体１８の上下方向に貫通したガイドホール１９を設けたものが（ｂ）、（ｄ）、（ｆ）、（ｈ）である。このような貫通したガイドホール１９を設けることで塩の成形体１８をバスケット１５に収納する際の位置を固定するとともに、徐々に塩の成形体１８の自重で落下しながら溶解する際のガイドとなり、塩橋の発生を防止できる。
【図面の簡単な説明】
【００３８】
【図１】本発明で用いられる軟水化装置の水通路の構成を示す説明図である。
【図２】本発明で用いられる塩タンクとバスケットの構成を示す横断面図である。
【図３】本発明で用いられる塩成形体の形状を示す横断面図であり、（ａ）平面視したときの上面投影が下面投影と同等で、側面が垂直であり、底部が長手方向全体にわたって２つの凸部を有する形状で、非貫通のガイドホールを開けたもの、（ｂ）（ａ）と同じ形状だが、貫通したガイドホールを開けたもの、（ｃ）平面視したときの上面投影が下面投影より小さく、側面がテーパ状であり、底面が長手方向全体にわたって２つの凸部を有する形状で、非貫通のガイドホールを開けたもの、（ｄ）（ｃ）と同じ形状だが、貫通したガイドホールを開けたもの、（ｅ）平面視したときの上面投影が下面投影と同等で、側面が垂直であり、非貫通のガイドホールを開けたもの、（ｆ）（ｅ）と同じ形状だが、貫通したガイドホールを開けたもの、（ｇ）平面視したときの上面投影が下面投影より小さく、側面がテーパ状であり、非貫通のガイドホールを開けたもの、（ｈ）（ｇ）と同じ形状だが、貫通したガイドホールを開けたもの。
【符号の説明】
【００３９】
１…軟水化装置、２…陽イオン交換樹脂、３…軟水化タンク、４…供給管、５…軟水管、６…塩タンク、７…再生管、８…排出管、９…再生弁、１０…塩水管、１１…逆止弁、１２…排水弁、１３…出口部材、１４…流入口、１５…バスケット、１６…網またはバスケットの底部、１７…蓋部、１８…塩の成形体、１９…ガイドホール、２０…水入口、２１…水出口、２２…開口、２３…（バスケット底部の）凸部、２４…（バスケット底部の）凹部、２５…（塩の成形体の）底部、２６…水または塩水、２７…（塩タンクの）底部、２８…軟水、２９…（塩の成形体の）凸部、３０…（塩の成形体の）凹部
【図１】
2009148664.tif 000003
【図２】
2009148664.tif 000004
【図３】
2009148664.tif 000005